(57)【特許請求の範囲】
【請求項１】
インターネット接続可能な携帯通信端末において、
ユーザによる指示操作に基づき、インターネット上のサイトから参照画像を取得し表示するとともに、該参照画像の参照先を指示する情報を含む同期開始メッセージを他の携帯通信端末に向け発信する手段と、
前記同期開始メッセージを受信した場合、該同期開始メッセージに基づき前記参照画像を取得して、該参照画像を表示するとともに、同期応答のメッセージを返信する手段と、
他の携帯通信端末から、同期応答のメッセージを受信する手段と、
前記同期応答のメッセージを受信または送信した後の同期状態において、前記参照画像に関係付けられる付加情報の入力を受け、該入力された付加情報に基づく情報を含むメッセージを同期状態にある他の携帯通信端末に向け発信する手段と、
他の携帯通信端末から、前記参照画像に関係付けられた付加情報に基づく情報を含むメッセージを受信すると、該付加情報に基づく情報を前記参照画像に付加し表示する手段と、を具備する
ことを特徴とする携帯型コミュニケーション端末。
【請求項２】
前記付加情報に基づく情報を含むメッセージは、
前記参照画像上の位置を特定させるために重ねて表示するマーク画像のデータを除く該マーク画像の位置を指定する位置情報を少なくとも含み、
前記メッセージに基づいて前記マーク画像を前記参照画像に付加して表示する際、前記位置情報で指定された位置に、予め持つマーク画像を前記参照画像に重ねて表示する
ことを特徴とする請求項１に記載の携帯型コミュニケーション端末。
【請求項３】
前記付加情報に基づく情報を含むメッセージは、
少なくとも、前記参照画像上の位置を指定する位置情報と、該位置情報により指定された位置に描画をするための情報と、を含み、
前記メッセージに基づいて、前記参照画像に情報を付加して表示する際、前記位置情報で特定される前記参照画像の位置に、前記描画をするための情報に対応する所定の描画をする
ことを特徴とする請求項１に記載の携帯型コミュニケーション端末。
【請求項４】
前記同期開始メッセージまたは前記付加情報に基づく情報を含むメッセージは、
ユーザ個人によるメッセージ内容をさらに含めたものである
ことを特徴とする請求項１ないし請求項３のいずれかに記載の携帯型コミュニケーション端末。
【請求項５】
請求項１ないし請求項４のいずれかに記載の携帯型コミュニケーション端末において、該携帯型コミュニケーション端末間で電子メールの送受信が可能であって、前記各メッセージは、電子メールに含めて送受信する
ことを特徴とする携帯型コミュニケーション端末。
【請求項６】
請求項５に記載の携帯型コミュニケーション端末において、電子メールで送る／送られた前記同期開始メッセージの宛先を基に、他の携帯型コミュニケーション端末の宛先からなる同期相手リストを生成し、他の携帯型コミュニケーション端末から前記同期応答メッセージを受信した場合には、該同期相手リスト中の該同期応答メッセージを発した携帯型コミュニケーション端末を同期済みとして設定し、同期済みとなっている携帯型コミュニケーション端末間で、前記参照画像に関係付けられた付加情報に基づく情報を含むメッセージの送信あるいは受信を行う
ことを特徴とする携帯型コミュニケーション端末。
【発明の詳細な説明】
【０００１】
【発明の属する技術分野】
本発明は、インターネット接続可能な携帯電話機等の携帯通信端末に関し、特には、この携帯通信端末間で共通して画像を参照し、この画像をもとにコミュニケーションをとることができる携帯通信端末に関する。
【０００２】
【従来の技術】
画像やメッセージを共有する技術として、特開２００１−０４３１７０号公報や、特開２０００−２６１５７４号公報や、特開２０００−１１５５２０号公報に開示された発明がある。
特開２００１−０４３１７０号公報に開示された発明は、専用のＷＷＷサーバを設け、このＷＷＷサーバに、画像やメッセージの書き込み／読み出しを行うことによって共有化を図るというものである。
【０００３】
また、特開２０００−２６１５７４号公報に開示された発明は、クリップボードを実装したサーバまたは同等機能を有す通信制御装置を設け、そのクリップボードを共有するというものである。
また、特開２０００−１１５５２０号公報に開示された発明の場合、サーバは必要せず端末間で画像を共有できるものであるが、実施例によると、基本画像があってこの基本画像上での描画画像を共有するというのではなく、描画処理で描画していく画像を共有するというものである。
【０００４】
【発明が解決しようとする課題】
特開２００１−０４３１７０号公報に開示された発明の場合、その実施をするに当たっては、共有用のＷＷＷサーバを専用で設置することが必須となる。また、ベースとなる画像は共有するが、その画像に対するグラフィカルな変更は共有していない。
【０００５】
また、特開２０００−２６１５７４号公報に開示された発明の場合、上記のようにクリップボードを実装したサーバまたは同等機能を有す通信制御装置が必須であることから、本件を実施するに当たり、それを新たに設置しなければならない。また、ベースとなる画像データはサーバに実装されているわけではなく、端末からサーバのクリップボードに与えなければならない。携帯型の端末の場合、画像データを端末内部に多く持てるものではないので、おのずとその数には制限がある。
【０００６】
また、特開２０００−１１５５２０号公報に開示された発明の場合、サーバは必要せず端末間で画像を共有できるが、前述したように、基本画像があってその上での描画画像を共有するというのではなく、描画動作で描画していく画像を共有するというものである。仮に基本画像があるとしても、その画像データはいずれかの端末内部に持っていなければならないが、携帯型の端末の場合、画像データを端末内部に多く持てるものではないので、おのずとその数には制限がある。
またメッセージのやり取りは考慮されていない。
【０００７】
本発明は、上記の点に鑑みてなされたもので、記憶容量が制約される携帯通信端末において、メモリを圧迫させずに画像情報を共有しメッセージ交換を行える携帯型コミュニケーション端末を提供するものである。
【０００８】
【課題を解決するための手段】
本発明の携帯型コミュニケーション端末は、インターネット接続可能な携帯通信端末において、ユーザによる指示操作に基づき、インターネット上のサイトから参照画像を取得し表示するとともに、該参照画像の参照先を指示する情報を含む同期開始メッセージを他の携帯通信端末に向け発信する手段と、前記同期開始メッセージを受信した場合、該同期開始メッセージに基づき前記参照画像を取得して、該参照画像を表示するとともに、同期応答のメッセージを返信する手段と、他の携帯通信端末から、同期応答のメッセージを受信する手段と、前記同期応答のメッセージを受信または送信した後の同期状態において、前記参照画像に関係付けられる付加情報の入力を受け、該入力された付加情報に基づく情報を含むメッセージを同期状態にある他の携帯通信端末に向け発信する手段と、他の携帯通信端末から、前記参照画像に関係付けられた付加情報に基づく情報を含むメッセージを受信すると、該付加情報に基づく情報を前記参照画像に付加し表示する手段と、を具備することを特徴とする。
【０００９】
このようにすると、同期状態にある携帯型コミュニケーション端末間で、インターネット上のサイトにある参照画像を参照しながら、メッセージの交換をすることができる。また、参照画像は、携帯型コミュニケーション端末間でコミュニケーションを開始する際、その都度インターネット上のサイトから取得するので、携帯型コミュニケーション端末は、画像データを蓄積するためのメモリを必要としない。
【００１０】
また、本発明は、請求項１に記載の携帯型コミュニケーション端末において、前記付加情報に基づく情報を含むメッセージは、前記参照画像上の位置を特定させるために重ねて表示するマーク画像のデータを除く該マーク画像の位置を指定する位置情報を少なくとも含み、前記メッセージに基づいて前記マーク画像を前記参照画像に付加して表示する際、前記位置情報で指定された位置に、予め持つマーク画像を前記参照画像に重ねて表示することを特徴とする。
このようにすると、他の携帯型コミュニケーション端末へマーク画像のデータを送信する必要がなく、データ伝送量が抑えられる。
【００１１】
また、本発明は、請求項１に記載の携帯型コミュニケーション端末において、前記付加情報に基づく情報を含むメッセージは、少なくとも、前記参照画像上の位置を指定する位置情報と、該位置情報により指定された位置に描画をするための情報と、を含み、前記メッセージに基づいて、前記参照画像に情報を付加して表示する際、前記位置情報で特定される前記参照画像の位置に、前記描画をするための情報に対応する所定の描画をすることを特徴とする。
このようにすると、他の携帯型コミュニケーション端末へ画像データそのものの送信をする必要がなく、データ伝送量が抑えられる。
【００１２】
また、本発明は、請求項１ないし請求項３のいずれかに記載の携帯型コミュニケーション端末において、前記同期開始メッセージまたは前記付加情報に基づく情報を含むメッセージは、ユーザ個人によるメッセージ内容をさらに含めたものであることを特徴とする。
このようにすることで、ユーザ間でメッセージによるコミュニケーションをとることができる。
【００１３】
また、本発明は、請求項１ないし請求項４のいずれかに記載の携帯型コミュニケーション端末において、該携帯型コミュニケーション端末間で電子メールの送受信が可能であって、前記各メッセージは、電子メールに含めて送受信することを特徴とする。
このようにすると、従来からあるインターネット接続可能な無線通信システムならびにインターネット上の設備を利用して、本発明を実施することができる。
【００１４】
また、本発明は、請求項５に記載の携帯型コミュニケーション端末において、電子メールで送る／送られた前記同期開始メッセージの宛先を基に、他の携帯型コミュニケーション端末の宛先からなる同期相手リストを生成し、他の携帯型コミュニケーション端末から前記同期応答メッセージを受信した場合には、該同期相手リスト中の該同期応答メッセージを発した携帯型コミュニケーション端末を同期済みとして設定し、同期済みとなっている携帯型コミュニケーション端末間で、前記参照画像に関係付けられた付加情報に基づく情報を含むメッセージの送信あるいは受信を行うことを特徴とする。
このようにすると、１対１のみならず３以上の携帯型コミュニケーション端末で、コミュニケーションをとることができる。
【００１５】
【発明の実施の形態】
以下、本発明の実施の形態を、図面を参照して説明する。
図１は、本発明の一実施の形態である携帯通信端末の構成を示すブロック図である。
【００１６】
図１において、符合２ａは、参照画像取得部である。この参照画像取得部２ａは、ユーザによる所定の入力操作に応じて、このユーザが指定したコンテンツ・プロバイタのサーバまたはＷｅｂサーバ上から参照画像となる画像データ（ファイル）を取得し、表示部３に表示させる。
【００１７】
符合２ｂは、同期開始処理部である。この同期開始処理部２ｂは、コミュニケーションの開始を示すコマンド（同期開始コマンド）と、参照画像取得部２ａが取得した参照画像（以下、基本画像と称す）の参照先のアドレス情報（ＵＲＬ）と、必要に応じてユーザにより入力されたコミュニケーションの相手に対するメッセージとを含ませた同期開始メッセージを、電子メールで交信先の携帯通信端末１に向けて発信させる処理を行う。このとき、コミュニケーションの相手は、この電子メールの宛先として入力・指定された相手（同期相手）となる。また、同期開始処理部２ｂは、すべてのコミュニケーション相手の宛先情報（電子メールアドレス）のリスト（同期相手先リスト）をメモリ４に記憶させる。
【００１８】
符合２ｃは、同期開始応答部である。この同期開始応答部２ｃは、受信したメッセージが同期開始コマンドを含む同期開始メッセージである場合、この同期開始メッセージに含まれる基本画像の参照先のアドレス情報に基づき基本画像を取得し、この基本画像と、同期開始メッセージに含まれたメッセージを表示部３に表示させる。そして、同期開始メッセージを発した交信元に、この基本画像に基づくコミュニケーションが可能な状態になったことを通知する同期応答メッセージを返信する。また、同期開始応答部２ｃは、交信元と同様に、すべてのコミュニケーション相手の宛先情報（電子メールアドレス）のリスト（同期相手先リスト）をメモリ４に記憶させる。
【００１９】
符合２ｄは、同期応答受信部である。この同期応答受信部２ｄは、同期開始処理部２ｂにより先に発信された同期開始メッセージに対する交信先の携帯通信端末１からの同期応答のメッセージを受信する処理を行う。さらに、同期開始応答時に保存した同期相手先リストの同期相手を同期済みに設定する。なお、この同期相手先リストには、同期済みか否かを設定するための項目を含んでいる。
【００２０】
符合２ｅは、付加情報送信部である。この付加情報送信部２ｅは、同期開始メッセージを発した交信元の同期応答受信部２ｄが交信先の携帯通信端末１から同期応答のメッセージを受信した後、および、交信先の携帯通信端末１が交信元の携帯通信端末１から同期開始メッセージを受信した後の、交信元と交信先の携帯通信端末１間で基本画像に基づくコミュニケーションが可能な状態（同期状態）になった場合に、ユーザによる、当該参照画像に関係付けられる入力を受け付ける。
【００２１】
具体的には、例えば、参照画像が地図画像である場合、この地図上でユーザが携帯通信装置１に備わるポインティングデバイス（例えば、タッチパネルおよびタッチペンからなる入力手段等）を用いて、マーク画像を表示させるためにポインティングした位置の情報（座標）あるいはポインティングされた位置に別途定められる描画（線を引く等）をさせるための情報の入力を受ける。この入力に基づくデータは、メモリ４に記憶保持する。
【００２２】
さらに、付加情報送信部２ｅは、上記データに基づく表示（マーク画像の表示あるいは描画）を基本画像に重ねて行うとともに、この付加情報に係るコマンド（基本画像上にマークしたことを示すコマンドあるいは描画データを含むことを示すコマンド）と、この付加情報に係る表示（描画）をするためのデータを電子メールに含めて交信先に送信する。
【００２３】
符合２ｆは、付加情報受信部である。この付加情報受信部２ｆは、コミュニケーション相手から上記付加情報に係るコマンドを含む電子メールを受信すると、この電子メールに含められた付加情報に係る表示（描画）をするためのデータに基づき、基本画像上にマーク画像の表示あるいは描画を行う。そして、この情報をメモリ４に記憶保持させる。
【００２４】
符合２ｇは、消去メッセージ送信部である。この消去メッセージ送信部２ｇは、ユーザの所定の入力操作による指定により、基本画像上に付加して表示あるいは描画された画像の消去をするための指示がされた場合、指定された領域内の付加された画像ならびに対応するメモリ４内の記憶保持領域からデータの削除を行う。そして、消去を示すコマンド（消去コマンド）と消去対象の領域の情報等を含めた電子メールを、コミュニケーション相手の携帯通信端末１に送信する。
【００２５】
符合２ｈは、消去メッセージ受信部である。この消去メッセージ受信部２ｈは、消去コマンドを含む電子メールを受信すると、送信元により指定された領域に対応する付加情報のデータをメモリ４から削除するとともに、付加表示された画像（マーク画像あるいは描画された画像）を消去する。
【００２６】
符合２ｉは、終了メッセージ送信部である。この終了メッセージ送信部２ｉは、ユーザの所定の入力操作による指定により、同期終了することを示すコマンド（同期終了コマンド）、およびコミュニケーション相手に伝えたいメッセージがあるならばそのメッセージを含んだ電子メールを、コミュニケーション相手の携帯通信端末１に送信し終了する。
【００２７】
符合２ｊは、終了メッセージ受信部である。この終了メッセージ受信部２ｊは、同期終了を示すコマンドを含んだ電子メールを受信すると、このコマンドを送信した相手を同期相手リストから削除する。そしてすべての同期相手から同期終了を示すコマンドを含んだ電子メールを受信すると、自携帯通信端末１の同期状態も終了する。
【００２８】
また、携帯通信端末１は、画像データやメッセージ等を一時記憶するためのメモリ４を備えている。
また、参照画像取得部２ａ、同期開始処理部２ｂ、同期開始応答部２ｃ、同期応答受信部２ｄ、付加情報送信部２ｅ、付加情報受信部２ｆ、消去メッセージ送信部２ｇ、消去メッセージ受信部２ｈ、終了メッセージ送信部２ｉ、終了メッセージ受信部２ｊの各機能は、メモリおよびＣＰＵ（中央処理装置）等により構成される処理部２において、各部の機能を実現するためのプログラム（図示せず）をメモリにロードして実行することによりその機能が実現されるものとする。
また、携帯通信端末１には、ユーザによる入力操作を受けるボタンやダイヤル、さらにはタッチパネルおよびタッチペン等からなる入力部５と、画像やメッセージの表示をする液晶表示装置等からなる表示部３と、さらに無線通信をするための無線通信部６を備えている。
【００２９】
また、携帯通信端末１としては、いわゆるＣＤＭＡ（符合分割多重接続）方式やＰＤＣ（Ｐｅｒｓｏｎａｌ  Ｄｉｇｉｔａｌ  Ｃｅｌｌｕｌａｒ  Ｓｙｓｔｅｍ）方式などの携帯電話機やＰＨＳ（Ｐｅｒｓｏｎａｌ  ＨａｎｄｙｐｈｏｎｅＳｙｓｔｅｍ）のほか、ＰＤＡ（Ｐｅｒｓｏｎａｌ  Ｄｉｇｉｔａｌ  Ａｓｓｉｓｔａｎｔｓ：個人用携帯情報機器）と称される携帯型の端末も含むものとする。ここで、ＰＤＡの場合、通信手段を内蔵しているもののほか、外部から通信手段を接続するものも含むものとする。
【００３０】
ここで、携帯通信端末１で使用する各コマンドについて説明する。
各コマンドはテキストベースの書式化されたスクリプト形式で作成され、電子メールで送受信される。ここで、スクリプトとは、コンピュータに処理を実行させるための命令を、ＨＴＭＬ（ＨｙｐｅｒＴｅｘｔ  Ｔｒａｎｓｐｏｒｔ  Ｐｒｏｔｏｃｏｌ）と同様なタグ（識別子）と、ソースコードとを用いて記述したものであり、電子メールの受信端末側では文書を読み取るだけで処理を実行させることができるようになっている。つまり、電子メールを受信した携帯通信端末１に対し、自動的に電子メールの記述内容を実行させることができるという利点がある。また、スクリプトはタグにより記述されているので、電子メールの送信側と受信側で端末の種別が異なっている場合でも、上記命令を知らせることができる。
【００３１】
以下に、各コマンドのスクリプト記述例を示す。
以下において、＜script＞は開始タグを、＜/script＞は終了タグを表す。各コマンドは開始タグと終了タグに挟まれて記述される。＜cmd＞〜＜/e＞タグはコマンドを示し、各タグの間に所定のソースコード（コマンドの実体）が記述される。
【００３２】
（１）同期開始コマンド
<script>
<cmd>sync<url>http://ww.kyocera.co.jp/map/map1.gif</e>
</script>
上記において、“ｓｙｎｃ”は、このスクリプトが同期開始コマンドであるを示しており、＜ｕｒｌ＞以下に、基本画像の参照場所のアドレス情報（ＵＲＬ）を示している。
【００３３】
（２）同期応答コマンド
<script>
<cmd>syncack</e>
</script>
上記において、“ｓｙｎｃａｃｋ”は、このスクリプトが同期応答コマンドであることを示している。
【００３４】
（３）マーク・コマンド
<script>
<cmd>mark<coord>10,20</e>
</script>
上記において、“ｍａｒｋ”は、このスクリプトがマーク・コマンドであることを示しており、＜ｃｏｏｒｄ＞以下に、マーク画像が配置される座標（１０，２０）を示している。
【００３５】
（４）描画コマンド
<script>
<cmd>draw<color>0xffffff<penwidth>1<startpos>10,20<move>10,22<move>14,22
<move>16,23<move>17,23<move>18,23<move>19,23<enddraw></e>
</script>
上記において、“ｄｒａｗ”は、このスクリプトが描画コマンドであることを示しており、＜ｃｏｌｏｒ＞に後続する０ｘｆｆｆｆｆｆは、ペンの色を示し、＜ｐｅｎｗｉｄｔｈ＞に後続する数値１は、ペンの幅を示し、＜ｓｔａｒｔｐｏｓ＞に後続する数値１０，２０は、描画の開始位置の座標を示し、＜ｍｏｖｅ＞に後続する各数値は、その座標の位置まで描画をする（線を引く）ことを示している。
【００３６】
（５）消去コマンド
<script>
<cmd>delete<basepos>20,40<width>100<height>50</e>
</script>
上記において、“ｄｅｌｅｔｅ”は、このスクリプトが消去コマンドであることを示しており、＜ｂａｓｅｐｏｓ＞に後続する数値２０，４０は、消去対象の領域の左上座標を示し、＜ｗｉｄｔｈ＞および＜ｈｅｉｇｈｔ＞に後続する数値２０および４０はそれぞれ、この領域の幅と高さを示している。
【００３７】
次に、このように構成された携帯通信端末１の動作について説明する。
なお、以下の説明では、同期開始メッセージを発する交信元とこの同期開始メッセージに応答する交信先の携帯通信端末１を、それぞれ携帯通信端末１ａ、携帯通信端末１ｂとし、どちらか特定しない場合は携帯通信端末１として説明する。
【００３８】
［参照画像取得処理］
携帯通信端末１ａの参照画像取得部２ａが、ユーザの所定の操作による入力に応じて、このユーザが指定したインターネット上のコンテンツ・プロバイダあるいはＷｅｂページから基本画像（参照画像）を取得する。そして、この基本画像を一時保存し表示部３に表示させる（図２：ステップＳ２１）。
【００３９】
［同期開始処理］
ユーザが、先に取得した基本画像をもとに他の携帯通信端末１ｂとコミュニケーションをとろうとした場合、コミュニケーションの開始を示すコマンド（同期開始コマンド）と、前記基本画像の所在を示すＵＲＬ（Ｕｎｉｆｏｒｍ  Ｒｅｓｏｕｒｃｅ  Ｌｏｃａｔｏｒ）と、電子メールの宛先と（図２：ステップＳ２２）、さらに必要であれば、ユーザ個人のメッセージと（図２：ステップＳ２３）、を電子メールに含めて、この電子メール（同期開始メール）を交信先となる携帯通信端末１ｂに向け送信する（図２：ステップＳ２４）。このとき、コミュニケーションの相手は、電子メールの宛先として入力・指定された相手（同期相手）となる。
【００４０】
［同期開始応答処理］
交信元の携帯通信端末１ａから電子メールを受信した携帯通信端末１ｂは、この電子メールに設定された送信元と他の送信先の宛先を保存する（図３：ステップＳ３１）。次に、この同期開始メッセージに含まれるＵＲＬを基に基本画像を取得して保存し表示部３に表示する（図３：ステップＳ３２）。
また、この同期開始メッセージに、交信元（携帯通信端末１ａ）からのメッセージが含まれている場合（図３：ステップＳ３３の判断でＹＥＳと判定された場合）には、このメッセージも表示する（図３：ステップＳ３４）。そして、交信元の携帯通信端末１ａに、同期応答であることを示すコマンドからなる同期応答メッセージを含めた電子メール（同期応答メール）を送信する（図３：ステップＳ３５）。
【００４１】
このようにして、交信元の携帯通信端末１ａと交信先の携帯通信端末１ｂには、同じ基本画像が表示される。本実施の形態では、２つの携帯通信端末１間でコミュニケーションをとるものとして説明するが、電子メールを同時に複数の交信先へ送信することで、３以上の携帯通信端末１間においても、基本画像に基づくコミュニケーションをとることができる。この場合、交信元のほか、他の携帯通信端末１に対しても、先に保存した他の送信先の宛先をもとに同期応答メッセージを送信する。
【００４２】
なお、携帯通信端末１ｂにおいては、この基本画像のデータそのものあるいはこの基本画像の所在を示すＵＲＬを記憶保持する。さらに電子メールの送信元および他の交信先の宛先、すなわちすべてのコミュニケーション相手の宛先情報（電子メールアドレス）のリスト（同期相手先リスト）を記億保持する。
【００４３】
［同期応答受信処理］
同期応答を示すコマンド（同期応答コマンド）を含む電子メール（同期応答メール）を受信した携帯通信端末１ａは、この電子メールを受信する前に同期開始メールを送信している場合あるいは受信している場合、同期開始時に保存した同期相手先リストの同期相手を同期済みに設定する（図４：ステップＳ４１）。このようにして、同期応答メッセージを受信した携帯通信端末１ａならびに同期応答メッセージを送信（返信）した携帯通信端末１ｂは、同期状態となる。
【００４４】
［付加情報（マーク情報）送信処理］
コミュニケーションを開始したいずれかの携帯通信端末１で、タッチペンなどの入力手段を用いて基本画像上にマークをする操作をした場合、このとき同期済みの相手がいるか判断し（図５：ステップＳ５１）、同期済み相手がいない場合（図５：ステップＳ５１でＮＯと判定された場合）は、同期相手がいない旨の表示をする（図５：ステップＳ５２）。
【００４５】
一方、同期済み相手がいる場合（図５：ステップＳ５１でＹＥＳと判定された場合）、基本画像上のその位置にマークされたことを示す画像（例えば、○印やピンの画像などのマーク画像）を表示するとともに（図５：ステップＳ５３）、必要に応じてユーザ個人のメッセージの入力を受け（図５：ステップＳ５４）、マーク画像の、その基本画像上のピクセル（またはドットとも呼ばれる）単位の座標位置（マーク位置）を記憶保持し（図５：ステップＳ５５）、次にマークしたことを示すコマンド（マーク・コマンド）、基本画像上のピクセル単位の座標からなるマーク情報と、さらに相手に伝えたいメッセージがあるならばそのメッセージを含んだ電子メール（マーク指示メール）を、コミュニケーション相手（同期済みの相手）の携帯通信端末１ｂに送信する（図５：ステップＳ５６）。なお、同期済みの相手が多数いる場合、そのすべてに電子メールを送信する。
【００４６】
［付加情報（マーク情報）受信処理］
交信先の携帯通信端末１ｂは、マーク・コマンドを含む電子メールを受信すると、マーク画像の基本画像上の位置座標（マーク位置）を記憶保持する（図６：ステップＳ６１）。そして、この電子メールに示された基本画像上の座標位置に、マークされたことを示す画像（例えば、○印やピンの画像などのマーク画像）を表示する（図６：ステップＳ６２）。さらに、この電子メールに同期相手からのメッセージが含まれている場合（図６：ステップＳ６３の判断でＹＥＳと判定された場合）は、そのメッセージを表示する（図６：ステップＳ６４）。このように、基本画像上のマーク画像がコミュニケーションの相手同士の間で同様に表示される。
【００４７】
［付加情報（描画データ）送信処理］
コミュニケーションを開始したいずれかの携帯通信端末１で、タッチペンなどの入力手段を用いて基本画像上に描画を行った場合、このとき同期済みの相手がいるか判断し（図７：ステップＳ７１）、同期済み相手がいない場合（図７：ステップＳ７１でＮＯと判定された場合）は、同期相手がいない旨の表示をする（図７：ステップＳ７２）。
【００４８】
一方、同期済み相手がいる場合（図７：ステップＳ７１でＹＥＳと判定された場合）、基本画像上にその描画結果を重ねて表示するとともに（図７：ステップＳ７３）、必要に応じてユーザ個人のメッセージの入力を受け（図７：ステップＳ７４）。そして、その描画データ（この描画をするためのコマンドと描画位置の座標からなるデータ）と描画画像を囲む矩形領域の左上コーナーの位置座標とこの矩形領域の幅と高さを記憶保持する（図７：ステップＳ７５）。
【００４９】
次に、描画されたことを示すコマンド（描画コマンド）と、上記位置座標等のデータと描画データの組と、さらに、相手に伝えたいメッセージがあるならばそのメッセージを含んだ電子メール（描画指示メール）をコミュニケーション相手の携帯通信端末１に送信する（図７：ステップＳ７６）。なお、同期済みの相手が多数いる場合、そのすべてに電子メールを送信する。
【００５０】
［付加情報（描画データ）受信処理］
描画コマンドを含んだ電子メール（描画指示メール）を受信した携帯通信端末１は、受信した描画データと、一緒に送られたこの描画データにより描画される画像を囲む矩形領域の左上コーナーの座標位置等を記憶保持する（図８：ステップＳ８１）。
そして、この電子メールに示された描画データに基づいて基本画像および／またはマークされたことを示すマーク画像に重ね合わせて描画し表示する（図８：２テップＳ８２）。またコミュニケーション相手からのメッセージが含まれている場合は（図８：ステップＳ８３の判断で、ＹＥＳと判定された場合）、このメッセージも表示する（図８：ステップＳ８４）。このように基本画像上の描画データが複数の携帯通信端末１間（１ａおよび１ｂ）で同様に表示される。
【００５１】
ここで、描画データについて説明する。
携帯通信端末１間で送受信される描画データは、描画に使用する色情報、ペンの幅、描画開始位置、タッチペン等の入力手段による移動先の座標（開始位置からの終点、さらに、この点から次の点への移動毎の終点の座標）、ならびに描画終了コマンドから成る。色情報は２４ビットデータで、最上位の８ビットがＲｅｄ、中位の８ビットがＧｒｅｅｎ、最下位の８ビットがＢｌｕｅを表している。
【００５２】
［付加情報消去メッセージ送信処理］
コミュニケーションを開始したいずれかの携帯通信端末１で、基本画像、マーク画像および描画画像が表示されている領域内のマーク画像および描画画像を消去する場合、基本画像上に消去対象となるマーク画像または描画画像がある場合（図９：ステップＳ９１の判断で、ＹＥＳと判定された場合）は、タッチペンなどの入力手段を用いた消去したい矩形領域（消去領域）の指定を受け（図９：ステップＳ９２）、この消去領域内にあるマーク画像および描画画像を表示領域から削除する（図９：ステップＳ９３）。そして、さらに消去領域に対応するメモリ内のマーク画像のデータと描画データを記憶保持領域から削除する（図９：ステップＳ９４、Ｓ９５）。
【００５３】
そして消去する事を示すコマンド（消去コマンド）と、消去対象の矩形領域の情報（左上角の座標と矩形領域の高さと幅）と、およびコミュニケーション相手に伝えたいメッセージがあるならばそのメッセージの入力を受け（図９：ステップＳ９６）、これらを含んだ電子メール（消去メール）を、コミュニケーション相手の携帯通信端末１に送信する（図９：ステップＳ９７）。
一方、消去対象となりうるマーク画像または描画画像が存在しない場合（図９：ステップＳ９１の判断で、ＮＯと判定された場合）は、同期相手がない旨の表示をする（図９：ステップＳ９８）。
【００５４】
［付加情報消去メッセージ受信処理］
消去コマンドを含んだ電子メール（消去メール）を受信した携帯通信端末１は、記憶保持したマーク画像の位置座標および描画画像を囲む矩形領域が、指定された消去領域内にあるかどうか判定し、この消去領域内のマーク画像および描画画像を表示領域から削除するとともに、記憶保持領域からも削除する（図１０：ステップＳ１０１、Ｓ１０２、Ｓ１０３）。また、コミュニケーション相手からのメッセージが含まれている場合は（図１０：ステップＳ１０４の判断で、ＹＥＳと判定された場合）、このメッセージを表示する。このように画像の消去を携帯通信端末１間で同期して行う。
【００５５】
［同期終了メッセージ送信処理］
いずれかのユーザが自ら同期終了を選択した場合、同期終了することを示すコマンドと、およびコミュニケーション相手に伝えたいメッセージがあるならばそのメッセージを含んだ電子メール（同期終了メール）を、コミュニケーション相手の携帯通信端末１に送信し終了する（図１１：ステップＳ１１１）。
【００５６】
［同期終了メッセージ受信処理］
同期終了を示すコマンドを含んだ電子メール（同期終了メール）を受信した携帯通信端末１は、そのコマンドを送信した相手を同期相手リストから削除する（図１２：ステップＳ１２１）。そしてすべての同期相手から同期終了を示すコマンドを含んだ電子メールを受信したならば（図１２：ステップＳ１２２の判断で、ＹＥＳと判定された場合）、自携帯通信端末１の同期状態も終了する。
【００５７】
［応用例］
本実施の形態の携帯通信端末１を用いた、地図情報を共有したナビゲーション・システムやコミュニケーション・ツールの提供が可能である。以下に説明する実施例も、新たなサーバ等の装置を追加する必要がなく、既存の通信インフラを利用して実施できる。
図１３、１４に、基本画像として地図情報を利用し、ユーザ間で待ち合わせをする際の実施例を示している。この図１３、１４では、同期開始メールを発信する側の携帯通信端末１をクライアントＡとし、この同期開始メールを受信して同期状態に入る側の携帯通信端末１をクライアントＢとして例示している。以下では、送受信されるデータの流れと表示される画像について説明する。なお、クライアントＡおよびクライアントＢの内部の動作は前述したとおりである。
【００５８】
はじめに、クライアントＡは、コンテンツ・プロバイダから基本画像としての地図情報を取得し（図１３：ｔ１）、この地図画像を表示する。
次に、クライアントＡから、“待ち合わせ場所”というユーザ個人のメッセージを含めた同期開始メッセージがクライアントＢへ送信される（図１３：ｔ２）。
クライアントＢは、同期開始メッセージを受信すると、この同期開始メッセージで指定されたＵＲＬに基づき地図画像をダウンロードし、この地図画像とともに同期開始メッセージに含められたメッセージ“待ち合わせ場所”を表示する。
【００５９】
さらに、クライアントＡ側でマーク画像の入力がされると、このマーク画像を地図画像に重ねて表示する。そして、このマーク画像の位置座標を含むマーク指示メールに、ユーザにより入力されたメッセージ“ここだよ”を含めてクライアントＢへ送信する（図１３：ｔ４）。
このマーク指示メールを受信したクライアントＢの携帯通信端末１には、地図画像にマーク画像を重ねた画像と、メッセージ“ここだよ”が表示される。
このようにして、クライアントＢのユーザは、クライアントＡのユーザにより指示された待ち合わせ場所を知ることができる。
【００６０】
さらに、クライアントＢ側で道順を示すための描画がなされると、基本画像の地図画像とこの地図画像上にマークされたマーク画像の上にさらに描画画像を描画し、この描画データを保存する。そして、この描画データと、“こう行けばいい？”というユーザ個人のメッセージを含めた描画指示メールをクライアントＡへ送信する（図１４：ｔ５）。
【００６１】
この描画指示メールを受信したクライアントＡは、先に表示しているマーク画像と地図画像からなる画像の上に、描画画像を重ねて表示するとともに、クライアントＢからのメッセージ“こう行けばいい？”を表示する。
この画像とメッセージを見たクライアントＡのユーザが、クライアントＡから“ＯＫ。じゃ待ってる”というメッセージをクライアントＢへ送信すると、このメッセージを受信したクライアントＢには、“ＯＫ。じゃ待ってる”というメッセージが表示される。
このようにして、クライアントＡとクライアントＢのユーザ間で、地図画像を利用した待ち合わせ場所と待ち合わせ場所へ行くための経路等の確認が行える。
【００６２】
以上、この発明の実施形態を説明した。なお、上記実施形態を、図面を参照して詳述してきたが、具体的な構成はこの実施形態に限られるものではなく、この発明の要旨を逸脱しない範囲の構成等も含まれる。
【００６３】
また、図１における処理部２の機能の一部あるいは全部を実現するためのプログラムをコンピュータ読み取り可能な記録媒体に記録して、この記録媒体に記録されたプログラムをコンピュータシステムに読み込ませ、実行することにより携帯通信端末１の制御を行ってもよい。なお、ここでいう「コンピュータシステム」とは、ＯＳや周辺機器等のハードウェアを含むものとする。
【００６４】
また、「コンピュータシステム」は、ＷＷＷシステムを利用している場合であれば、ホームページ提供環境（あるいは表示環境）も含むものとする。
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムが送信された場合のサーバやクライアントとなるコンピュータシステム内部の揮発性メモリ（ＲＡＭ）のように、一定時間プログラムを保持しているものも含むものとする。
【００６５】
また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。
また、上記プログラムは、前述した機能の一部を実現するためのものであっても良い。さらに、前述した機能をコンピュータシステムにすでに記録されているプログラムとの組み合わせで実現できるもの、いわゆる差分ファイル（差分プログラム）であっても良い。
【００６６】
【発明の効果】
以上、詳細に説明したように、本発明によれば、インターネット上のサイトから参照画像を取得して、この参照画像を複数のユーザ間で共有するので、共有する画像を常に記憶保持する必要がなく、携帯型コミュニケーション端末に搭載されるメモリ等のリソースにかける負荷を少なくすることができる。
また、インターネット上のサイトにある画像あるいは必要があればインターネット上のサーバに画像を追加し利用することで、豊富な画像を利用することができる。
また、携帯型コミュニケーション端末間では、画像データそのものを送受信しないので、通信の際のデータ伝送量を押さえることができる。
【００６７】
また、電子メールを利用したメッセージを使用するので、本発明の携帯型コミュニケーション端末が接続される通信システムに何ら変更を加える必要も、新たな設備を設置する必要もなく、携帯型コミュニケーション端末間で画像およびメッセージを共有することができる。
また、ユーザ個人のメッセージも付加情報に含めて同時に送信することで、単なる画像の共有にとどまらないコミュニケーション・ツールとして使用することができる。
【図面の簡単な説明】
【図１】  本発明の一実施の形態である携帯通信端末の構成を示すブロック図である。
【図２】  参照画像取得処理および同期開始処理の動作フローチャートである。
【図３】  同期開始応答処理の動作フローチャートである。
【図４】  同期応答受信処理の動作フローチャートである。
【図５】  付加情報（マーク情報）送信処理の動作フローチャートである。
【図６】  付加情報（マーク情報）受信処理の動作フローチャートである。
【図７】  付加情報（描画データ）送信処理の動作フローチャートである。
【図８】  付加情報（描画データ）受信処理の動作フローチャートである。
【図９】  付加情報消去メッセージ送信処理の動作フローチャートである。
【図１０】  付加情報消去メッセージ受信処理の動作フローチャートである。
【図１１】  同期終了メッセージ送信処理の動作フローチャートである。
【図１２】  同期終了メッセージ受信処理の動作フローチャートである。
【図１３】  応用例を説明する図である。
【図１４】  応用例を説明する図（続き）である。
【符号の説明】
１…携帯通信端末（携帯型コミュニケーション端末）
２…処理部
２ａ…参照画像取得部
２ｂ…同期開始処理部
２ｃ…同期開始応答部
２ｄ…同期応答受信部
２ｅ…付加情報送信部
２ｆ…付加情報受信部
２ｇ…消去メッセージ送信部
２ｈ…消去メッセージ受信部
２ｉ…終了メッセージ送信部
２ｊ…終了メッセージ受信部
３…表示部
４…メモリ
５…入力部
６…無線通信部
【図１】
0004549576.tif 000002
【図２】
0004549576.tif 000003
【図３】
0004549576.tif 000004
【図４】
0004549576.tif 000005
【図５】
0004549576.tif 000006
【図６】
0004549576.tif 000007
【図７】
0004549576.tif 000008
【図８】
0004549576.tif 000009
【図９】
0004549576.tif 000010
【図１０】
0004549576.tif 000011
【図１１】
0004549576.tif 000012
【図１２】
0004549576.tif 000013
【図１３】
0004549576.tif 000014
【図１４】
0004549576.tif 000015